(57)【要約】【課題】  原稿搬送速度が複数の原稿で共通する場合の原稿読み取りの生産性を向上させ、原稿搬送速度が原稿毎に決定される場合の原稿読み取りの柔軟性を向上させる。【解決手段】  複数の原稿を連続して読み取る際、ラインセンサ５８による原稿読取時の原稿搬送速度が複数の原稿で共通する場合、画像データを記憶可能な空き領域がメモリ７１にあることに応じて画像処理装置２００からの画像要求信号を待たずに原稿読み取りを開始し、ラインセンサ５８による原稿読取時の原稿搬送速度が原稿毎に決定される場合、画像処理装置２００からの画像要求信号に応じて原稿読み取りを開始する。【選択図】  図２
2010141508.tif 000002
【特許請求の範囲】
【請求項１】
原稿の画像を読み取る読取手段と、
前記読取手段へ原稿を搬送する原稿搬送手段と、
前記読取手段により読み取られた画像データを記憶する記憶手段と、
前記読取手段により読み取られた画像データを画像処理装置へ転送する転送手段と、
複数の原稿を連続して読み取る際、前記読取手段により原稿を読み取る際の前記原稿搬送手段の原稿搬送速度が複数の原稿で共通する場合、画像データを記憶可能な空き領域が記憶手段にあることに応じて前記画像処理装置からの画像要求信号を待たずに原稿読み取りを開始するよう前記原稿搬送手段を制御する第１モードと、前記読取手段により原稿を読み取る際の前記原稿搬送手段の原稿搬送速度が原稿毎に決定される場合、前記画像処理装置からの画像要求信号に応じて原稿読み取りを開始するよう前記原稿搬送手段を制御する第２モードを実行する制御手段と、
を有することを特徴とする原稿読取装置。
【請求項２】
前記読取手段により原稿を読み取る際の前記原稿搬送手段の原稿搬送速度が原稿毎に決定される場合は、異なるサイズの原稿が混在した原稿を読み取らせる原稿サイズ混載モードと、原稿サイズと記録紙サイズに応じて原稿画像が記録紙に収まるよう変倍する自動変倍モードの両方が設定されている場合であることを特徴とする請求項１記載の原稿読取装置。
【請求項３】
前記読取手段は、原稿の表面を読み取る表面読取手段と、原稿の裏面を読み取る裏面読取手段を有し、
前記記憶手段は、前記第１モードを実行する場合、前記表面読取手段から出力された表面画像データ及び前記裏面読取手段から出力された裏面画像データを記憶し、
前記制御手段は、原稿の両面を読み取る両面読取モードが設定されている場合、前記第１モードを実行するとき、前記画像処理装置からの画像要求信号に応じた前記記憶手段の表面画像データの転送と、前記画像処理装置からの画像要求信号に応じた前記記憶手段の裏面画像データの転送を交互に行うことを特徴とする請求項１記載の原稿読取装置。
【請求項４】
前記読取手段は、原稿の表面を読み取る表面読取手段と、原稿の裏面を読み取る裏面読取手段を有し、
前記記憶手段は、前記第２モードを実行する場合、少なくとも前記裏面読取手段から出力された裏面画像データを記憶し、
前記制御手段は、原稿の両面を読み取る両面読取モードが設定されている場合、前記第２モードを実行するとき、前記画像処理装置からの画像要求信号に応じた原稿読み取りの開始及び表面画像データの転送と、前記画像処理装置からの画像要求信号に応じた前記記憶手段の裏面画像データの転送を交互に行うことを特徴とする請求項１記載の原稿読取装置。
【請求項５】
前記表面読取手段及び前記裏面読取手段は、それぞれカラーセンサと白黒センサを有し、
前記記憶手段は、前記第２モードを実行する場合、前記カラーセンサで原稿を読み取る場合、前記裏面読取手段から出力された裏面画像データを記憶し、前記白黒センサで原稿を読み取る場合、前記表面読取手段から出力された表面画像データ及び前記裏面読取手段から出力された裏面画像データを記憶し、
前記制御手段は、前記カラーセンサで原稿を読み取る場合、前記表面読取手段から出力された表面画像データを前記記憶手段を介することなく転送し、前記白黒センサで原稿を読み取る場合、前記表面読取手段から出力された表面画像データを前記記憶手段を介して転送することを特徴とする請求項４記載の原稿読取装置。
【請求項６】
前記画像要求信号には、原稿読み取り時の変倍率が含まれており、
前記原稿搬送手段は、前記画像要求信号に含まれる変倍率に応じた搬送速度で原稿を搬送することを特徴とする請求項１記載の原稿読取装置。
【発明の詳細な説明】
【技術分野】
【０００１】
本発明は、原稿の画像を読み取って画像データを画像処理装置へ転送する原稿読取装置に関する。
【背景技術】
【０００２】
近年、両面原稿読み取りの生産性（単位時間あたりの読取枚数）を向上させるために、原稿搬送パス内に表面用読取ユニット及び裏面用読取ユニットを設け、原稿を反転することなくその両面を読み取る原稿読取装置が採用され始めている。一方、原稿読取装置から画像処理装置または画像形成装置への原稿画像データの出力ラインは１つなので、並行して読み取られた表面画像データと裏面画像データは、出力ラインから交互に出力されなければならない。そこで、読み取った表面画像データと裏面画像データを、メモリを介して出力ラインから出力する構成とし、メモリからの読み出しが完了したことに応じて、次ページの読取動作に移行することが提案されている（例えば、特許文献１参照）。
【特許文献１】特開２００４−３２０３１４
【発明の開示】
【発明が解決しようとする課題】
【０００３】
しかしながら、メモリからの読み出し完了に応じて次ページの読取動作に移行する方法は、画像処理装置等からの指示を待たずに次ページの読み取りを開始するため、原稿搬送速度が原稿毎に異なり得る原稿読取動作には不向きである。原稿搬送速度が原稿毎に異なり得る原稿読取動作とは、例えば、原稿サイズと記録紙サイズに応じて原稿画像を自動的に拡大または縮小する自動変倍と、異なるサイズの原稿が混在した原稿を読み取る原稿サイズ混載の両方が設定されたときの原稿読取動作である。
【０００４】
この場合、操作部での自動変倍設定、原稿読取装置で検知された原稿サイズ情報、画像形成装置で検知された記録紙サイズ情報に基づいて、画像処理装置等が原稿１枚ごとに倍率を決定し、原稿読取装置に倍率を指示する。このため、原稿読取装置は、メモリからの読み出しが完了したとしても、次の原稿の倍率、すなわち、原稿搬送速度がわからないため、次の原稿の読み取りを開始することができない。
【０００５】
そこで、原稿読取装置は画像処理装置等からの画像要求信号を受信するごとに原稿１枚の読み取りを開始するようにする方法が考えられる。しかし、常にこの方法を採ると、原稿読取装置は、画像要求信号を受信してから、一時停止していた原稿を読取速度まで加速するため、原稿の加速に要する時間分、生産性が低下してしまうという課題がある。
【課題を解決するための手段】
【０００６】
上記課題を解決するため、本発明は、原稿の画像を読み取る読取手段と、前記読取手段へ原稿を搬送する原稿搬送手段と、前記読取手段により読み取られた画像データを記憶する記憶手段と、前記読取手段により読み取られた画像データを画像処理装置へ転送する転送手段と、複数の原稿を連続して読み取る際、前記読取手段により原稿を読み取る際の前記原稿搬送手段の原稿搬送速度が複数の原稿で共通する場合、画像データを記憶可能な空き領域が記憶手段にあることに応じて前記画像処理装置からの画像要求信号を待たずに原稿読み取りを開始するよう前記原稿搬送手段を制御する第１モードと、前記読取手段により原稿を読み取る際の前記原稿搬送手段の原稿搬送速度が原稿毎に決定される場合、前記画像処理装置からの画像要求信号に応じて原稿読み取りを開始するよう前記原稿搬送手段を制御する第２モードを実行する制御手段と、を有することを特徴とする原稿読取装置を提供するものである。
【発明の効果】
【０００７】
本発明によれば、複数の原稿を連続して読み取る際、原稿搬送速度が複数の原稿で共通する場合、画像データを記憶可能な空き領域が記憶手段にあることに応じて画像処理装置からの画像要求信号を待たずに原稿読み取りを開始するよう原稿搬送を制御し、原稿搬送速度が原稿毎に決定される場合、画像処理装置からの画像要求信号に応じて原稿読み取りを開始するよう原稿搬送手段を制御するので、原稿搬送速度が複数の原稿で共通する場合の原稿読み取りの生産性を向上させ、原稿搬送速度が原稿毎に決定される場合の原稿読み取りの柔軟性を向上させることができる。
【発明を実施するための最良の形態】
【０００８】
図１は、本発明の実施形態としての原稿読取装置の断面図である。原稿読取装置１００は、少なくとも１枚以上のシートで構成される原稿束を載置する昇降可能な原稿トレイ１と、原稿束の最上面の原稿を装置内に送り込むピックアップローラ２を有する。原稿の搬送開始に先立って、揺動アーム２６を下降させて、ピックアップローラ２を下降させ、リフターモータ（不図示）を駆動して原稿トレイ１を上昇させる。原稿トレイ１の上昇に伴って原稿束の最上面に当接しているピックアップローラ２も押し上げられる。原稿束の最上面の原稿が給送位置に到達すると、ピックアップローラ２に連動して回転する紙面検知フラグ９が紙面検知センサ１０を遮断する。紙面検知センサ１０が紙面検知フラグ９に遮断されると、紙面検知センサ１０はオン信号を出力し、原稿読取装置１００は、原稿トレイ１の上昇を停止させ、ピックアップローラ２を回転させて原稿の給送動作を開始させる。
【０００９】
ピックアップローラ２によって給送された原稿は、フィードローラ４とリタードローラ５から構成される分離ローラ対３の作用によって１枚に分離される。分離された原稿は、引抜ローラ対６、搬送ローラ対１３により、分離後センサ１１、レジ前センサ１４を経て搬送され、停止したレジストローラ対１５に原稿の先端が突き当てられる。これにより、原稿の斜行が解消される。
【００１０】
その後、停止していたレジストローラ対１５が回転することにより、原稿は更に搬送される。レジストローラ対１５を通過した原稿は、設定された変倍率に応じた速度で流し読みガラス５１方向へ搬送され、プラテン上流ローラ対１６及びプラテンローラ１７に送られる。プラテンローラ１７は、原稿を流し読みガラス５１に接触させながら搬送する機能を有している。プラテンローラ１７を通過する原稿の表面は、ランプ５３により光が照射される。その反射光は、ミラー５４、５５、５６、レンズ５７を経て、表面用ＣＣＤラインセンサ５８に結像されることにより、原稿の表面画像が読み取られる。
【００１１】
プラテンローラ１７の下流に搬送された原稿は、設定された変倍率に応じた速度でプラテン下流ローラ対１８によって裏面読取ローラ１９に送られる。裏面読取ローラ１９は、原稿を移動ガラス２２と接触させながら搬送する。裏面読み取りローラ１９を通過する原稿の裏面はランプ２１により照射される。その反射光は、裏面用ＣＣＤラインセンサ２０によって裏面画像を読み取られる。裏面読取ローラ１９の下流に搬送された原稿は、排紙センサ２３を経て排紙ローラ対２４によって原稿排紙トレイ２５に排出される。以上のようにして、原稿流し読みが行われる。
【００１２】
また、原稿トレイ１には、それに載置された原稿束の副走査方向にスライド可能なガイド規制板（不図示）が設けられているとともに、このガイド規制板に連動して原稿幅を検出する原稿幅検知センサ（不図示）が設けられている。原稿幅検知センサ、レジ前センサ１４、分離後センサ１１、及びＬＧＬ（リーガル）検知センサ８の出力に基づいて、原稿読取装置は原稿のサイズを判別する。また、原稿読取前に白板６０を表面用ＣＣＤラインセンサ５８で読み取ることにより、表面用のシェーディング補正データを作成する。また、移動ガラス２２に貼付してある白板（不図示）を読み取ることにより、裏面用のシェーディング補正データを作成する。
【００１３】
また、原稿固定読みを行う場合には、設定された変倍率に応じた速度で表面読取ユニット５９を図１右方向へ移動させながら、圧板ガラス５２上の原稿を表面用ＣＣＤラインセンサ５８で読み取る。
【００１４】
図２は、原稿読取装置の制御ブロック図である。原稿読取装置１００は、中央演算処理装置（以下、ＣＰＵ）１２、リードオンリーメモリ（以下、ＲＯＭ）８０、ランダムアクセスメモリ（以下、ＲＡＭ）９０を備えている。ＲＯＭ８０には、制御用プログラムが格納されており、ＲＡＭ９０には、入力データや作業用データが格納される。
【００１５】
リフターモータ３０は、原稿トレイ１を昇降させる。ピックアップモータ３９は、ピックアップローラ２を昇降させる。分離モータ３７は、ピックアップローラ２、フィードローラ４、リタードローラ５を回転駆動する。搬送モータ３８は、引抜ローラ対６、搬送ローラ対１３を駆動する。リードモータ３１は、プラテン上流ローラ対１６、プラテンローラ１７、プラテン下流ローラ対１８、裏面読取ローラ１９、排紙ローラ対２４を駆動する。光学モータ４０は、表面読取ユニット５９を駆動する。
【００１６】
リフターモータ３０、ピックアップモータ３９、分離モータ３７、搬送モータ３８、リードモータ３１、光学モータ４０はＣＰＵ１２に接続されている。また、原稿検知センサ７、ＬＧＬ検知センサ８、紙面検知センサ１０、分離後センサ１１、レジ前センサ１４、排紙センサ２３、ランプ２１、５３もＣＰＵ１２に接続されている。また、表面用ＣＣＤラインセンサ５８及び裏面用ＣＣＤラインセンサ２０で読み取った画像データは画像処理部７０を介して一旦画像メモリ７１に格納される。
【００１７】
画像処理装置２００は、原稿読取装置１００から受信した画像データに基づいて画像を記録紙上に形成する画像形成装置内に設けられ、原稿読取装置１００と画像形成装置を制御するコントローラである。画像処理装置２００は、ＣＰＵ１０１を備えており、シリアル通信ラインを介してＣＰＵ１２と画像読取制御に関するデータの授受を行う。画像データは画像処理部７０から画像処理部１０２へ画像ラインを介して伝送され、画像メモリ１０３に格納される。また、画像処理装置２００は、ユーザとのインターフェースとしての操作表示部２１０を備えている。ＣＰＵ１０１は、操作表示部２１０からユーザにより入力された設定に応じて、画像処理装置２００及び原稿読取装置１００の制御を行う。
【００１８】
図３は、操作表示部２１０に表示される画面を示す図である。操作表示部２１０は、上面にタッチパネルが形成された液晶表示部が設けられており、液晶表示部の画面上にソフトキーが表示される。原稿のカラー読取や、原稿の両面読取、自動変倍などの設定が操作表示部２１０により行うことができる。図３（ａ）の画面において、カラー白黒切り替え釦３００が押されると、図３（ｂ）の画面のように、カラーか白黒読みを切り替えるプルダウン釦を表示する。そして、図３（ｂ）の画面において、フルカラーが選択されると、図３（ｃ）の画面に切り替わり、カラーモードでの読み取りを設定することができる。
【００１９】
また、図３（ａ）の画面において、応用モード釦３０１が押されることで、図３（ｄ）の画面に切り替わり、この画面において、原稿サイズ混載モード釦３０２が押されることで、原稿サイズ混載モードの設定がなされる。原稿サイズ混載モードは、異なるサイズの原稿が混在した原稿を読み取らせるときにユーザが設定するモードである。原稿サイズ混載モードが設定されていない場合、先頭原稿のサイズの検知結果に基づいて、原稿束全ての原稿の読み取りが制御されるが、原稿サイズ混載モードが設定されている場合、原稿毎のサイズ検知結果に基づいて、それぞれの原稿の読み取りが制御される。
【００２０】
また、図３（ａ）において、倍率釦３０３が押されることで、図３（ｅ）の画面に切り替わり、この画面において自動変倍釦３０４が押されることで自動変倍モードの設定がなされる。自動変倍モードは、原稿サイズと記録紙サイズに応じて原稿画像が記録紙に収まるよう自動的に拡大または縮小するモードである。原稿流し読みモードのときは、自動変倍で算出された変倍率に応じた速度で原稿が搬送されながら、原稿の画像が読み取られる。自動変倍モードと原稿サイズ混載モードは、互いに制御上干渉するものではないので、両方同時に設定することが可能である。
【００２１】
原稿サイズ混載と自動変倍の両方が設定されているときに原稿流し読みを行う場合、変倍率及び原稿搬送速度が原稿毎に決定されることになる。原稿サイズ混載が設定されていないときに原稿流し読みを行う場合、先頭原稿のサイズの検知結果に基づいて、原稿束全ての原稿の読み取りが制御されるので、自動変倍が設定されていたとしても、変倍率及び原稿搬送速度が複数の原稿で共通することになる。自動変倍が設定されていないときに原稿流し読みを行う場合、原稿サイズ混載が設定されていたとしても、変倍率及び原稿搬送速度が複数の原稿で共通することになる。
【００２２】
図４は、原稿の読取開始から読取終了までの画像処理装置２００の制御フローチャートである。このフローチャートに基づく制御はＣＰＵ１０１により実行される。ユーザによって操作表示部２１０のスタートキー（不図示）が押下されたことに応じて、ＣＰＵ１０１はカラーモード（図３（ｃ））が指定されているかどうかを判断する（Ｓ４０１）。ＣＰＵ１０１は、カラーモードが指定されている場合、カラーモードであることをＣＰＵ１２に通知し（Ｓ４０２）、カラーモードが指定されていない場合、白黒モードであることをＣＰＵ１２に通知する（Ｓ４０３）。
【００２３】
次に、ＣＰＵ１０１は、原稿読取装置１００の原稿トレイ１に原稿が置かれているかどうかの情報として、原稿検知センサ７のオン・オフ情報をＣＰＵ１２から取得する。原稿検知センサ７がオン、すなわち原稿トレイ１に原稿有りと判断した場合（Ｓ４０４）、ＣＰＵ１０１は原稿流し読みモードであることをＣＰＵ１２に通知する（Ｓ４０５）。次に、操作表示部２１０で両面読取モードが設定されている場合（Ｓ４０７）、ＣＰＵ１０１は両面読取モードであることをＣＰＵ１２に通知する。次に、ＣＰＵ１０１は原稿サイズ混載モードと自動変倍モードの両方が設定されているかどうかを判断する（Ｓ４０８）。両モードが設定されている場合、ＣＰＵ１０１は自動変倍モードであることをＣＰＵ１２に通知し（Ｓ４０９）、原稿読取動作の開始をＣＰＵ１２に通知する（Ｓ４１１）。
【００２４】
原稿サイズ混載かつ自動変倍の場合は、ＣＰＵ１２から原稿サイズ情報の通知があると（Ｓ４１２）、ＣＰＵ１０１は原稿サイズと記録紙サイズから変倍率を計算し、画像要求信号をＣＰＵ１２へ送信する（Ｓ４１３）。画像要求信号は、画像処理装置２００が画像を受信できる状態になった時点でＣＰＵ１０１からＣＰＵ１２へ送信される。変倍率は、原稿の副走査方向の読み取り速度を等倍に対する百分率で示す比率であり、例えば、記録紙サイズがＡ３で、原稿サイズがＡ４の場合、自動変倍における変倍率は２００％と計算される。
【００２５】
原稿１枚分の画像データの受信完了後（Ｓ４１４）、原稿トレイ１上の全ての原稿読取が完了したことがＣＰＵ１２から通知されない場合（Ｓ４１５）、ステップＳ４１２へ戻る。ステップＳ４１５で原稿トレイ１上の全ての原稿読取が完了したことがＣＰＵ１２から通知された場合、読取動作を終了する（Ｓ４１６）。
【００２６】
ステップＳ４０８で原稿サイズ混載と自動変倍の両方が設定されていない場合、ＣＰＵ１０１はＣＰＵ１２に原稿読取動作の開始を通知し（Ｓ４２１）、画像を受信できる状態になった時点で、画像要求信号をＣＰＵ１２へ送信する（Ｓ４２２）。原稿１枚分の画像データの受信完了後（Ｓ４２３）、原稿トレイ１上の全ての原稿読取が完了したことがＣＰＵ１２から通知されない場合（Ｓ４２４）、ステップＳ４２２へ戻る。ステップＳ４２４で原稿トレイ１上の全ての原稿読取が完了したことがＣＰＵ１２から通知された場合、読取動作を終了する（Ｓ４１６）。
【００２７】
また、ステップＳ４０４で、原稿検知センサ７がオフ、すなわち原稿トレイ１に原稿なしと判断した場合、ＣＰＵ１０１はＣＰＵ１２に原稿固定読みモードであることを通知し（Ｓ４１０）、原稿読取動作の開始をＣＰＵ１２に通知する（Ｓ４３１）。画像を受信できる状態になった時点で、画像要求信号をＣＰＵ１２へ送信し（Ｓ４３２）、原稿１枚分の画像データの受信完了後（Ｓ４２３）、読取動作を終了する（Ｓ４１６）。
【００２８】
図５は、表面用ＣＣＤラインセンサ５８の構成を示す図である。表面用ＣＣＤラインセンサ５８は、ＢＷ（白黒）、Ｂ（青色）、Ｇ（緑色）、Ｒ（赤色）の各分光感度特性を持つ４本の直線状の撮像素子列が互いに平行に配列されている。４本の撮像素子列は、各々白黒センサ（ＢＷセンサ）４０１、Ｂセンサ４０２、Ｇセンサ４０３、Ｒセンサ４０４の順に配列されており、各々のある一定の間隔を持って互いに平行に配置されている。例えば、白黒センサ４０１、Ｂセンサ４０２間は６ライン分の間隔（５５．９５μｍ）を持って配列されており、Ｂセンサ４０２，Ｇセンサ４０３，Ｒセンサ４０４は各々２ライン分の間隔（１８．６５μｍ）で配列されている。裏面用ＣＣＤラインセンサ２０も表面用ＣＣＤラインセンサ５８と同様に構成されている。
【００２９】
白黒センサは、カラーセンサのようにカラーフィルタを設けないため、一般的にカラーセンサより感度が高く、カラーセンサで読み取るときと同じ光量で読み取る場合は、カラーセンサで読み取るときよりも高速で読み取りを行っても画質劣化が少ない。そこで、表面用ＣＣＤラインセンサ５８及び裏面用ＣＣＤラインセンサ２０の駆動クロックを、カラー読み取り時は４８ＭＨｚ、１Ｈｓｙｎｃ周期を２１０μｓｅｃ、白黒読み取り時は６５ＭＨｚ、１Ｈｓｙｎｃ周期を７０μｓｅｃとしている。
【００３０】
ここで、１Ｈｓｙｎｃ周期は、１主走査ラインの読み取り時間である。１Ｈｓｙｎｃ２１０μｓｅｃは６００ｄｐｉで原稿搬送速度２００ｍｍ／ｓに相当し、１Ｈｓｙｎｃ７０μｓｅｃは６００ｄｐｉで原稿搬送速度６００ｍｍ／ｓに相当する。また、白黒読み取りモードの場合は、１Ｈｓｙｎｃ周期を短くするために、白黒センサ４０１のうち、主走査方向の前半部分と後半部分に分割されて読み出される。なお、この駆動周波数とＨｓｙｓｎｃは一例であって、これに限定されず、センサの感度に合わせて設定されるものである。
【００３１】
図６は、画像処理部７０の詳細構成を示すブロック図である。原稿の表面を読み取った表面用ＣＣＤラインセンサ５８の各センサ４０１、４０２、４０３、４０４から、原稿画像に応じた白黒，Ｂ，Ｇ，Ｒ各色のアナログ電気信号が出力される。Ａ／Ｄ変換回路６０１，６０２，６０３は、各色のアナログ電気信号は各々デジタル画像信号に変換する。
【００３２】
ＡＤ変換された画像データは、シェーディング補正回路６０５，６０６，６０７により、光量の主走査方向における不均一性の影響や表面用ＣＣＤラインセンサ５８における各撮像素子の感度の影響を補正する。表面画像データは、セレクタ６５０によって、メモリ制御回路６５１を経て画像メモリ７１に一時記憶されるか、クロック変換器６５３を介して画像転送回路６５２へ送られるかが切り替えられる。
【００３３】
一方、裏面画像データはシェーディング補正回路６２５、６２６、６２７から、メモリ制御回路６５１を経て画像メモリ７１に一時記憶される。画像メモリ７１は、カラー画像のラージサイズ１面分の記憶容量（２５６Ｍバイト）を有している。また、画像メモリ７１は、メモリ制御回路６５１によって指定されたページ数に分割して使用することができる。例えば、メモリ制御回路６５１により２ページ分割設定された場合、１ページあたり総容量の１／２の容量（１２８Ｍバイト）で、最大２ページ分格納することが可能になる。また、分割設定されない場合は、１ページを全容量で最大１ページ分格納することが可能である。
【００３４】
画像メモリ７１に記憶された画像は、所定のタイミングでメモリ制御回路６５１より読み出され、画像転送回路６５２へ送られる。画像転送回路６５２は、セレクタ６５０からの画像データと、メモリ制御回路６５１からの画像データとのどちらか一方の画像データを選択し、画像処理装置２００の画像処理部１０２へ転送する。
【００３５】
図７（ａ）は、カラーモードの場合の、表面用ＣＣＤラインセンサ５８及び裏面用ＣＣＤラインセンサ２０から画像処理部７０への画像データの転送の様子を示す図である。１画素のＲＧＢデータは、並列に１画素ずつ転送される。実際に転送されるＲＧＢの画像データは、ラインセンサのライン間隔（２ライン）だけ、副走査方向にずれた位置の画像が転送される。図７（ｂ）は、白黒モードの場合の、表面用ＣＣＤラインセンサ５８及び裏面用ＣＣＤラインセンサ２０から画像処理部７０への画像データの転送の様子を示す図である。カラーモードでＲ画素とＢ画素が転送されるラインに、主走査の前半部分と後半部分の画像データが同時に転送される。表面用ＣＣＤラインセンサ５８及び裏面用ＣＣＤラインセンサ２０の駆動クロックの周波数は、カラー読み取り時は４８ＭＨｚ、白黒読み取り時は６５ＭＨｚである。
【００３６】
図８（ａ）は、カラーモードの場合の、画像処理部７０から画像処理部１０２への画像データの転送の様子を示す図である。１画素のＲＧＢデータは、並列に１画素ずつ転送される。実際に転送されるＲＧＢの画像データは、ラインセンサのライン間隔（２ライン）だけ、副走査方向にずれた位置の画像が転送される。図８（ｂ）は、白黒モードの場合の、画像処理部７０から画像処理部１０２への画像データの転送の様子を示す図である。カラーモードでＲ画素とＢ画素が転送されるラインに、主走査の前半部分と後半部分の画像データが同時に転送される。
【００３７】
データ転送速度の限界値は、受信側である画像処理装置２００の画像処理部１０２の処理能力によって決まる。画像処理部１０２における転送クロックの最大周波数は、カラーモード時で３７．５ＭＨｚ、白黒モード時には５０ＭＨｚである。従って、１主走査ライン（約７６００画素）のデータ転送に要する時間は、カラーモード時では２０５μｓｅｃ（６００ｄｐｉで２０５ｍｍ／ｓ）、白黒モード時では８０μｓｅｃ（６００ｄｐｉで５２５ｍｍ／ｓ）が限界値となる。このため、白黒モードでは、読取側の１Ｈｓｙｎｃ周期時間（７０μｓ）と、転送側の１Ｈｓｙｎｃ周期時間（８０μｓ）の差を解消するために、読み取った画像データを原稿読取装置１００の画像メモリ７１を介して転送する。
【００３８】
図９及び図１０は、図４のＳ４１１において、画像処理装置２００より原稿読取動作の開始が通知された時の、原稿読取装置１００の制御フローチャートである。このフローチャートに基づく制御はＣＰＵ１２により実行される。まず、ＣＰＵ１２は、原稿流し読みモードの指定があるか否かを判断し（Ｓ９０１）、原稿流し読みモードではなく原稿固定読みモードの場合には、カラーモードか否かを判断する（Ｓ９０２）。カラーモードの場合には、表面読み取りユニット５９の読み取り時の移動速度を２００ｍｍ／ｓに設定する（Ｓ９０３）。
【００３９】
ステップＳ９０２で白黒モードの場合には、ＣＰＵ１２は、読み取り速度を白黒の転送限界速度である５２５ｍｍ／ｓに設定する（Ｓ９０４）。次に、ＣＰＵ１２は、セレクタ６５０をクロック変換器６５３側に設定、すなわち画像メモリ７１を経由しないスルー設定を行い（Ｓ９０７）、使用しない画像メモリ７１はパワーオフに設定する（Ｓ９１１）。原稿固定読みの場合は、原稿を連続して読み取る必要がないため、画像メモリ７１への通電をオフしておくことにより、約１ワット程度の省電力効果がある。
【００４０】
そして、ＣＰＵ１２は画像処理装置２００側からの画像要求信号を待つ（Ｓ９１５）。画像要求信号は、画像処理装置２００のＣＰＵ１０１から画像読み取り部１００のＣＰＵ１２へ送られてくるシリアル通信データ列であり、画像読み取り条件（画像密度、読み取り範囲等）の情報を含んでいる。また、画像要求信号は、画像処理装置２００での画像受信準備完了を示す信号でもある。原稿固定読みの場合は、画像メモリ７１を使用しないため、画像要求信号を受けた後、その情報に従って原稿読み取りを開始し、読み取った原稿の画像データの転送を行う（Ｓ９１６）。
【００４１】
ステップＳ９０１において、原稿流し読みモードの場合には、ＣＰＵ１２はカラーモードか否かを判断し（Ｓ９０３）、カラーモードであった場合には、読み取り時の原稿速度を２００ｍｍ／ｓに設定する（Ｓ９０５）。次に、ＣＰＵ１２はセレクタ６５０をスルー設定にして、表面の画像は画像メモリ７１を経由しない設定にする（Ｓ９０８）。次に、ＣＰＵ１２は、両面読取モードか否かを判断し（Ｓ９１０）、両面読取モードでない場合には、画像メモリをパワーオフに設定する（Ｓ９１２）。カラーモードで片面モードの場合は、後述する最小紙間距離の制約により、画像処理装置２００からの画像要求が到来する前に画像データを画像メモリ７１に格納しても、読取の生産性が変わらないため、画像メモリ７１を使用しない。
【００４２】
次に、原稿トレイ１から給送した原稿が、プラテンローラ１７の上流の停止判断位置に原稿の先端が到達した時に、ＣＰＵ１２は、画像処理装置２００から画像要求が到来しているか否かを判断する（図１０（ａ）Ｓ９２０）。ここで、停止判断位置は、停止判断位置で原稿を停止後、再搬送した時に、原稿の先端がプラテンローラ１７に到達するまでに読み取り速度まで加速可能な位置である。停止判断位置は、読み取り速度が速くなる程、上流に位置する。
【００４３】
ステップＳ９２０において、画像要求が到来していない場合には、ＣＰＵ１２は、原稿搬送を一旦停止させて画像要求の到来を待つ（Ｓ９２１）。ステップＳ９２０において、画像要求が到来している場合には、ＣＰＵ１２は、原稿の搬送を停止することなく画像要求の読み取り条件に従って原稿読み取りを開始し、画像データの転送を行う（Ｓ９２２）。ＣＰＵ１２は、原稿トレイ１に積載された最終紙の画像面を読み取って、画像データの転送終了まで繰り返す（Ｓ９２３）。カラーモードで片面モードの場合は、画像メモリ７１を使用しないため、ＣＰＵ１２は、画像処理装置２００からの画像要求信号に従って、読取動作を行う。
【００４４】
ステップＳ９１０において、読み取りジョブ開始時に両面読取モードの指定があった場合には、ＣＰＵ１２は、メモリ制御回路６５１によって画像メモリ７１を分割設定せずに、画像メモリ７１を裏面画像専用として使用する（Ｓ９１３）。
【００４５】
次に、原稿トレイ１から原稿を給送して、プラテンローラ１７の上流の停止判断位置に原稿の先端が到達した時に、ＣＰＵ１２は、画像処理装置２００から画像要求が到来しているか否かを判断する（図１０（ｂ）Ｓ９３０）。画像要求が到来していない場合には、ＣＰＵ１２は、原稿搬送を一旦停止させて画像要求の到来を待つ（Ｓ９３１）。画像要求が到来している場合には、ＣＰＵ１２は、原稿搬送を停止せず画像要求の読み取り条件に従って表面画像の読み取りを開始し、表面画像データの転送を行う。また、ＣＰＵ１２は、原稿が裏面用ＣＣＤラインセンサ２０に到達した原稿の裏面画像の読み取りを開始し、画像メモリ７１に格納する（Ｓ９３２）。
【００４６】
そして、画像処理装置２００から裏面画像要求が到来後に（Ｓ９３３）、ＣＰＵ１２は、画像メモリ７１から画像データを読み出して転送し（Ｓ９３４）、原稿トレイ１に積載された最終紙の画像面を読み取って転送終了まで繰り返す（Ｓ９３５）。カラーモードで両面読取モードの場合は、画像メモリ７１のメモリ容量の制約により裏面画像用に使用するため、表面の画像を先行して画像メモリ７１に格納することは行わず、画像処理装置２００からの画像要求に従って、読取動作を行う。
【００４７】
ステップＳ９０３において、カラーモードでなかった場合、すなわち白黒モードの場合には、ＣＰＵ１２は、読み取り時の原稿搬送速度を６００ｍｍ／ｓに設定する（Ｓ９０６）。次に、ＣＰＵ１２は、セレクタ６５０のスルー設定を解除して、表面の画像が画像メモリ７１を経由する設定にし（Ｓ９０９）、メモリ制御回路６５１によって画像メモリ７１を２ページに分割設定する（Ｓ９１４）。
【００４８】
次に、ＣＰＵ１２は、原稿サイズ混載モードかつ自動変倍モードか否かを判断する（Ｓ９１７）。原稿サイズ混載かつ自動変倍でない場合、画像データを記憶可能な空き領域が画像メモリ７１にあることに応じて画像処理装置からの画像要求信号を待たずに原稿読み取りを開始するよう原稿搬送を制御する白黒制御１（第１モード）を実行する。ステップＳ９１７において、原稿サイズ混載かつ自動変倍でない場合、原稿トレイ１から原稿を給送して、プラテンローラ１７の停止判断位置に原稿の先端が到達した時に、ＣＰＵ１２は、画像メモリ７１に空きページがあるか否かを判断する（図１０（ｃ）Ｓ９４０）。画像メモリ７１に空きページがない場合（画像データを記憶可能な空き領域がない場合）には、ＣＰＵ１２は、原稿搬送を一旦停止させて画像要求の到来を待つ（Ｓ９４１）。画像メモリ７１に空きページがある場合（画像データを記憶可能な空き領域がある場合）には、表面画像の読み取りを開始し、画像データを画像メモリ７１に格納する。また、両面読取モードの場合、ＣＰＵ１２は、原稿が裏面用ＣＣＤラインセンサ２０に到達するタイミングから裏面画像の読み取りを開始し、画像メモリ７１に格納する（Ｓ９４２）。
【００４９】
そして、画像処理装置２００から表面あるいは裏面の画像要求が到来後に（Ｓ９４３）、ＣＰＵ１２は、到来した画像要求に対応した面の画像データを読み出して転送する（Ｓ９４４）。ＣＰＵ１２は、原稿トレイ１に積載された最終紙の画像面を読み取って画像データの転送終了まで繰り返す（Ｓ９４５）。白黒モードにおいて、原稿サイズ混載かつ自動変倍モードでない場合は、読取変倍率はジョブの開始時に確定している。そのため、画像処理装置２００からの画像要求を待たずに、画像メモリ７１が空いたことに応じて読取動作を開始することで、生産性を向上することができる。
【００５０】
ステップＳ９１７において、原稿サイズ混載かつ自動変倍の場合、画像処理装置からの画像要求信号に応じて原稿読み取りを開始するよう原稿搬送を制御する白黒制御２（第２モード）を実行する。ステップＳ９１７において、原稿サイズ混載かつ自動変倍の場合には、ＣＰＵ１２は、原稿トレイ１から原稿を給送して、プラテンローラ１７の上流の停止判断位置に原稿の先端が到達した時に、画像処理装置２００から画像要求が到来しているか否かを判断する（Ｓ９５０）。画像要求が到来していない場合には、ＣＰＵ１２は、原稿搬送を一旦停止させて画像要求の到来を待つ（Ｓ９５１）。画像要求が到来している場合には、ＣＰＵ１２は、原稿搬送を停止せず画像要求の読み取り条件に従って表面画像の読み取りを開始し、表面画像データの転送を行う（Ｓ９５２）。
【００５１】
また、両面読取モードの場合には、原稿が裏面用ＣＣＤラインセンサ２０に到達するタイミングから裏面画像の読み取りを開始し、画像データを画像メモリ７１に格納する（Ｓ９５２）。そして、両面読取モードの場合（Ｓ９５３）、画像処理装置２００から裏面画像要求が到来後に（Ｓ９５４）、ＣＰＵ１２は、画像メモリ７１から画像データを読み出して転送する（Ｓ９５５）。ＣＰＵ１２は、原稿トレイ１に積載された最終紙の画像面を読み取って画像データの転送終了まで繰り返す（Ｓ９５６）。
【００５２】
白黒モードにおいて、原稿サイズ混載かつ自動変倍の場合は、原稿のサイズによって変倍率が変化し、原稿搬送速度を変化させる可能性がある。そのため、原稿サイズ混載かつ自動変倍の場合は、画像処理装置２００からの画像要求を待って、変倍率に応じた原稿搬送速度で読取動作を行う。
【００５３】
図１１は、原稿流し読みモードでカラーモード時の、画像読み取り、画像転送、画像要求信号のタイミングチャートである。Ｔｃは画像処理装置処理時間である。画像処理装置２００は原稿読取装置１００から画像を受信後、画像圧縮等の各種画像処理を行い、次の画像の受信用メモリを確保できるまでの時間が画像処理装置処理時間である。本実施形態ではＴｃを１００ｍｓｅｃとしている。Ｔｐは読み取り前必要時間である。Ｔｐは、前述の停止判断位置と読み取り位置の距離を原稿が通過するのに要する時間である。本実施形態ではカラーモードの原稿搬送速度は２００ｍｍ／ｓであり、Ｔｐは５０ｍｓである。Ｔｎは搬送必要紙間時間であり、原稿読取装置のメカ的な制約により決まる先行紙の後端と後続紙の先端の紙間時間である。本実施形態ではメカ的な制約により決まる最小紙間距離が６０ｍｍである。従って、原稿搬送速度が２００ｍｍ／ｓのとき、Ｔｎは３００ｍｓｅｃである。
【００５４】
図１１（ａ）は、カラーモードで片面モード時のタイミングチャートである。画像処理装置２００からの画像要求信号に応じて読み取り動作を開始し、読み取った画像データを画像メモリ７１に格納せずに転送している。ここで、表面画像を画像メモリ７１に格納しないのは、画像処理装置処理時間Ｔｃと読み取り前必要時間Ｔｐの和よりも上述した最小紙間距離と原稿搬送速度で決まる搬送必要紙間時間Ｔｎが大きいためである。すなわち、点線で示すように画像要求信号の到来時に、原稿の先端を停止判断位置よりも上流に位置するため、読み取った画像データを画像メモリ７１に格納しても生産性が変わらないためである。この場合には、無駄な電力を消費しないために画像メモリ７１への通電をオフしておく。
【００５５】
図１１（ｂ）は、カラーモードで両面読取モード時のタイミングチャートである。カラーモードの両面読取モード時には、画像メモリ７１は裏面画像のバッファ用に使用し、表面の画像は画像メモリの容量により格納できないため片面時同様スルー設定にする。画像処理装置２００からの表面の画像要求信号に応じて読み取り動作を開始し、裏面用ＣＣＤラインセンサを通過する原稿の裏面画像を画像メモリ７１へ格納し、裏面の画像要求信号に応じて画像メモリ７１から画像処理装置２００への裏面の画像データの転送を開始する。この場合、画像処理装置からの画像要求信号に応じた原稿読み取りの開始及び画像メモリを介さない表面画像データの転送と、画像要求信号に応じた画像メモリの裏面画像データの転送を交互に行う。
【００５６】
図１２は、原稿流し読みモードで白黒モード時の、画像読み取り、画像転送、画像要求信号のタイミングチャートである。白黒モードの場合、Ｔｃはカラーモードと同様１００ｍｓｅｃであるが、読み取り速度が６００ｍｍ／ｓｅｃであるため、Ｔｐは７０ｍｓｅｃ、Ｔｎは１００ｍｓｅｃである。
【００５７】
図１２（ａ）は、白黒モードで片面モード時の、原稿サイズ混載かつ自動変倍の場合のタイミングチャートである。画像処理装置２００からの画像要求信号に応じて、画像要求信号に付属する読み取り条件に従って読み取り動作を開始し、読み取った画像データを画像メモリ７１経由で転送している。ここで、画像データを画像メモリ７１経由で転送するのは、白黒モードでは、読取側の１Ｈｓｙｎｃ周期時間（７０μｓ）と、転送側の１Ｈｓｙｎｃ周期時間（８０μｓ）の差をクロック変換器６５３では吸収しきれないので、画像メモリで吸収するためである。
【００５８】
図１２（ｂ）は、白黒モードで片面モード時の、原稿サイズ混載かつ自動変倍でない場合のタイミングチャートである。原稿サイズ混載かつ自動変倍でない場合は、原稿毎の変倍率は変化しないため、原稿先端が停止判断位置に到達した時点で画像メモリ７１が空いていれば、画像要求信号を待たずに、読み取り動作を開始する。白黒モードの場合には、搬送速度がカラーモードよりも速く、搬送必要紙間時間Ｔｎが画像処理装置処理時間Ｔｃと読み取り前必要時間Ｔｐの和よりも小さいため、読み取り前必要時間Ｔｐ分の紙間を、図１２（ａ）の場合よりも短縮することができる。これにより、原稿サイズ混載かつ自動変倍の場合と比べて、読取開始から全ての原稿の読取終了までの時間を、原稿枚数×必要時間Ｔｐだけ読込時間（本実施形態では１００枚あたり７秒）を短縮できる。
【００５９】
なお、画像メモリ７１の分割ページ数が小さい場合、数枚毎に画像メモリ７１に空きがない状態が発生し、原稿が一旦停止してしまうため、本実施形態では前の画像の転送が完了する時点で次の原稿先端が停止判断位置を通過するような原稿間隔に制御している。
【００６０】
図１２（ｃ）は、白黒モードで両面読取モード時の、原稿サイズ混載かつ自動変倍の場合のタイミングチャートである。画像処理装置２００からの画像要求信号に応じて、画像要求信号に付属する読み取り条件に従って読み取り動作を開始し、読み取った画像データを画像メモリ７１経由で転送している。この場合、画像処理装置からの画像要求信号に応じた原稿読み取りの開始及び画像メモリを介した表面画像データの転送と、画像要求信号に応じた画像メモリの裏面画像データの転送を交互に行う。
【００６１】
図１２（ｄ）は白黒モードで両面読取モード時の、原稿サイズ混載かつ自動変倍でない場合のタイミングチャートである。原稿サイズ混載かつ自動変倍でない場合は、原稿毎の変倍率は変化しないため、原稿先端が停止判断位置に到達した時点で画像メモリ７１が空いていれば、画像要求信号を待たずに、読み取り動作を開始する。この場合、画像処理装置からの画像要求信号に応じた画像メモリの表面画像データの転送と、画像要求信号に応じた画像メモリの裏面画像データの転送を交互に行う。これにより、原稿サイズ混載かつ自動変倍の場合と比べて、読取開始から全ての原稿の読取終了までの時間を、原稿枚数×必要時間Ｔｐだけ読込時間（本実施形態では１００枚あたり７秒）を短縮できる。
【００６２】
以上述べたように、画像処理装置からの画像要求信号を受信する前に先行して読み取り動作が可能な条件の場合に、先行して読取動作を開始することにより、読取前必要時間分の紙間を縮めることができ、生産性を向上することができる。
【図面の簡単な説明】
【００６３】
【図１】本発明の実施形態としての原稿読取装置の断面図である。
【図２】原稿読取装置の制御ブロック図である。
【図３】操作表示部２１０に表示される画面を示す図である。
【図４】原稿の読取開始から読取終了までの画像処理装置２００の制御フローチャートである。
【図５】表面用ＣＣＤラインセンサ５８の構成を示す図である。
【図６】画像処理部７０の詳細構成を示すブロック図である。
【図７】表面用ＣＣＤラインセンサ５８及び裏面用ＣＣＤラインセンサ２０から画像処理部７０への画像データの転送の様子を示す図である。
【図８】画像処理部７０から画像処理部１０２への画像データの転送の様子を示す図である。
【図９】原稿読取装置１００の制御フローチャートである。
【図１０】原稿読取装置１００の制御フローチャートである。
【図１１】原稿流し読みモードでカラーモード時の、画像読み取り、画像転送、画像要求信号のタイミングチャートである。
【図１２】原稿流し読みモードで白黒モード時の、画像読み取り、画像転送、画像要求信号のタイミングチャートである。
【符号の説明】
【００６４】
１２  ＣＰＵ
２０  裏面用ＣＣＤラインセンサ
５８  表面用ＣＣＤラインセンサ
７０  画像処理部
７１  画像メモリ
１００  原稿読取装置
１０１  ＣＰＵ
１０２  画像処理部
１０３  画像メモリ
２００  画像処理装置
２１０  操作表示部
３００  カラー白黒切り替え釦
３０１  応用モード釦
３０２  原稿サイズ混載モード釦
３０３  倍率釦
３０４  自動変倍釦
４０１  白黒センサ
４０２  Ｂセンサ
４０３  Ｇセンサ
４０４  Ｒセンサ
【図１】
2010141508.tif 000003
【図２】
2010141508.tif 000004
【図３】
2010141508.tif 000005
【図４】
2010141508.tif 000006
【図５】
2010141508.tif 000007
【図６】
2010141508.tif 000008
【図７】
2010141508.tif 000009
【図８】
2010141508.tif 000010
【図９】
2010141508.tif 000011
【図１０】
2010141508.tif 000012
【図１１】
2010141508.tif 000013
【図１２】
2010141508.tif 000014